(57)【特許請求の範囲】
【請求項１】
電子写真画像形成装置本体に着脱可能なカートリッジに用いられる、前記装置本体に設けられた本体コネクタと嵌合可能なカートリッジコネクタにおいて、
（i）複数のリード端子を有する、前記カートリッジに関する情報を記憶するメモリ部材と、
（ii）前記メモリ部材を装着したソケットであって、一端側に前記複数のリード端子うちの一つと電気的に接続したメモリ部材接続部と、他端側に前記カートリッジを前記装置本体に装着した際に前記本体コネクタと電気的に接続する本体コネクタ接続部と、を有する接触端子を前記ソケットの内部に複数設けたソケットと、
を有し、
前記複数の接触端子のうち一つは、前記メモリ部材接続部が途中で別れて二つの前記本体コネクタ接続部と接続して、前記二つの前記本体コネクタ接続部を短絡する、前記ソケットの内部に設けられた短絡接触端子であって、前記カートリッジを前記装置本体に装着した際に、前記装置本体から前記メモリ部材に供給する電源信号を短絡する短絡接触端子であることを特徴とするカートリッジコネクタ。
【請求項２】
電子写真画像形成装置本体に着脱可能なカートリッジに用いられる、前記装置本体に設けられた本体コネクタと嵌合可能なカートリッジコネクタにおいて、
（i）複数のリード端子を有する、前記カートリッジに関する情報を記憶するメモリ部材と、
（ii）前記メモリ部材を装着したソケットであって、一端側に前記複数のリード端子うちの一つと電気的に接続したメモリ部材接続部と、他端側に前記カートリッジを前記装置本体に装着した際に前記本体コネクタと電気的に接続する本体コネクタ接続部と、を有する接触端子を前記ソケットの内部に複数設けたソケットと、
を有し、
前記複数の接触端子のうち一つは、前記メモリ部材接続部が途中で別れて二つの前記本体コネクタ接続部と接続して、前記二つの前記本体コネクタ接続部を短絡する、前記ソケットの内部に設けられた短絡接触端子であって、前記カートリッジを前記装置本体に装着した際に、前記メモリ部材を接地するためのＧＮＤ信号を短絡する短絡接触端子であることを特徴とするカートリッジコネクタ。
【請求項３】
電子写真画像形成装置本体に着脱可能なプロセスカートリッジであって、
（i）電子写真感光体と、
（ii）前記電子写真感光体に作用するプロセス手段と、
（iii）前記プロセスカートリッジを前記装置本体に装着した際に、前記装置本体に設けられた本体コネクタと嵌合するカートリッジコネクタであって、複数のリード端子を有する、前記プロセスカートリッジに関する情報を記憶するメモリ部材と、前記メモリ部材を装着したソケットであって、一端側に前記複数のプロセスカートリッジを前記装置本体に装着した際に前記本体コネクタと電気的に接続する本体コネクタ接続部と、を有する接触端子を前記ソケットの内部に複数設けたソケットと、を有し、前記複数の接触端子のうち一つは、前記メモリ部材接続部が途中で別れて二つの前記本体コネクタ接続部と接続して、前記二つの前記本体コネクタ接続部を短絡する、前記ソケットの内部に設けられた短絡接触端子であって、前記カートリッジを前記装置本体に装着した際に、前記装置本体から前記メモリ部材に供給する電源信号を短絡する短絡接触端子であるカートリッジコネクタと、
を有することを特徴とするプロセスカートリッジ。
【請求項４】
電子写真画像形成装置本体に着脱可能なプロセスカートリッジであって、
（i）電子写真感光体と、
（ii）前記電子写真感光体に作用するプロセス手段と、
（iii）前記プロセスカートリッジを前記装置本体に装着した際に、前記装置本体に設けられた本体コネクタと嵌合するカートリッジコネクタであって、複数のリード端子を有する、前記プロセスカートリッジに関する情報を記憶するメモリ部材と、前記メモリ部材を装着したソケットであって、一端側に前記複数のプロセスカートリッジを前記装置本体に装着した際に前記本体コネクタと電気的に接続する本体コネクタ接続部と、を有する接触端子を前記ソケットの内部に複数設けたソケットと、を有し、前記複数の接触端子のうち一つは、前記メモリ部材接続部が途中で別れて二つの前記本体コネクタ接続部と接続して、前記二つの前記本体コネクタ接続部を短絡する、前記ソケットの内部に設けられた短絡接触端子であって、前記カートリッジを前記装置本体に装着した際に、前記メモリ部材を接地するためのＧＮＤ信号を短絡する短絡接触端子であるカートリッジコネクタと、
を有することを特徴とするプロセスカートリッジ。
【請求項５】
プロセスカートリッジを着脱可能であって、記録媒体に画像を形成するための電子写真画像形成装置において、
（i）本体コネクタと、
（ii）電子写真感光体と、前記電子写真感光体に作用するプロセス手段と、前記プロセスカートリッジを前記電子写真画像形成装置の装置本体に装着した際に、前記本体コネクタと嵌合するカートリッジコネクタであって、複数のリード端子を有する、前記プロセスカートリッジに関する情報を記憶するメモリ部材と、前記メモリ部材を装着したソケットであって、一端側に前記複数のプロセスカートリッジを前記装置本体に装着した際に前記本体コネクタと電気的に接続する本体コネクタ接続部と、を有する接触端子を前記ソケットの内部に複数設けたソケットと、を有し、前記複数の接触端子のうち一つは、前記メモリ部材接続部が途中で別れて二つの前記本体コネクタ接続部と接続して、前記二つの前記本体コネクタ接続部を短絡する、前記ソケットの内部に設けられた短絡接触端子であって、前記カートリッジを前記装置本体に装着した際に、前記装置本体から前記メモリ部材に供給する電源信号を短絡する短絡接触端子であるカートリッジコネクタと、を有するプロセスカートリッジを取り外し可能に装着する装着手段と、
（iii）前記記録媒体を搬送する搬送手段と、
を有することを特徴とする電子写真画像形成装置。
【請求項６】
プロセスカートリッジを着脱可能であって、記録媒体に画像を形成するための電子写真画像形成装置において、
（i）本体コネクタと、
（ii）電子写真感光体と、前記電子写真感光体に作用するプロセス手段と、前記プロセスカートリッジを前記電子写真画像形成装置の装置本体に装着した際に、前記本体コネクタと嵌合するカートリッジコネクタであって、複数のリード端子を有する、前記プロセスカートリッジに関する情報を記憶するメモリ部材と、前記メモリ部材を装着したソケットであって、一端側に前記複数のプロセスカートリッジを前記装置本体に装着した際に前記本体コネクタと電気的に接続する本体コネクタ接続部と、を有する接触端子を前記ソケットの内部に複数設けたソケットと、を有し、前記複数の接触端子のうち一つは、前記メモリ部材接続部が途中で別れて二つの前記本体コネクタ接続部と接続して、前記二つの前記本体コネクタ接続部を短絡する、前記ソケットの内部に設けられた短絡接触端子であって、前記カートリッジを前記装置本体に装着した際に、前記メモリ部材を接地するためのＧＮＤ信号を短絡する短絡接触端子であるカートリッジコネクタと、を有するプロセスカートリッジを取り外し可能に装着する装着手段と、
（iii）前記記録媒体を搬送する搬送手段と、
を有することを特徴とする電子写真画像形成装置。
【発明の詳細な説明】
【０００１】
【発明の属する技術分野】
本発明は、例えばＥＥＰＲＯＭなどのＩＣを備え、電気回路を結合或は分離するのに使用するカートリッジコネクタ、並びに、このコネクタを有したプロセスカートリッジ及び電子写真画像形成装置に関するものである。又、このコネクタは、画像形成装置本体に着脱可能に形成された、プロセスカートリッジ以外の定着ユニット、中間転写ユニットなどにも好適に採用し得る。
【０００２】
ここで画像形成装置としては、例えば電子写真複写機、電子写真プリンタ（例えば、ＬＥＤプリンタ、レーザービームプリンタ等）、電子写真ファクシミリ装置、及び、電子写真ワードプロセッサー等が含まれる。
【０００３】
また、プロセスカートリッジとは、帯電手段、現像手段又はクリーニング手段と、電子写真感光体とを一体的にカートリッジ化し、このカートリッジを画像形成装置本体に対して着脱可能とするものであるか、又は帯電手段、現像手段、クリーニング手段の少なくとも一つと、電子写真感光体とを一体的にカートリッジ化して電子写真画像形成装置本体に着脱可能とするものであるか、更に、少なくとも現像手段と電子写真感光体とを一体的にカートリッジ化して電子写真画像形成装置本体に着脱可能とするものをいう。
【０００４】
【従来の技術】
従来、電子写真画像形成プロセスを用いた画像形成装置においては、電子写真感光体及び前記電子写真感光体に作用するプロセス手段を一体的にカートリッジ化して、このカートリッジを画像形成装置本体に着脱可能とするプロセスカートリッジ方式が採用されている。このプロセスカートリッジ方式によれば、装置のメンテナンスをサービスマンによらずにユーザー自身で行なうことができるので、格段に操作性を向上させることができた。そこで、このプロセスカートリッジ方式は、画像形成装置において広く用いられている。
【０００５】
又、特に、カラーレーザービームプリンタでは電子写真感光体、クリーニングユニット及び廃トナー容器が一体となったプロセスカートリッジ（感光ドラムカートリッジ）と、マゼンタ、シアン、イエロー、ブラック色のトナーが入った各色の現像カートリッジを画像形成装置本体に着脱可能とすることでメンテナンスフリーを実現している。
【０００６】
このような画像形成装置では、例えば長期使用によりプロセスカートリッジに組込まれた構成部品の機能が低下した場合プロセスカートリッジ全体が交換されている。この交換作業はワンタッチで画像形成装置本体を開放して装置本体内部から古いプロセスカートリッジを取り出し、装置本体に新品のプロセスカートリッジを装着するといった極めて簡単な作業であり、操作者自身で容易に実施し得るものである。
【０００７】
更に、最近では上述の従来技術をさらに発展させ、画像形成装置の利用者のユーザビリティーを向上するために以下の様な機能、つまり、
（１）プロセスカートリッジにメモリ等の電子デバイスを搭載することにより製造出荷時に製造条件等のデータを書き込み、このプロセスカートリッジを画像形成装置本体に装着した際、画像形成装置側がこのデータを参照し、そのプロセスカートリッジの最適条件での画像形成動作を行わせる機能。
（２）感光ドラム残寿命を画像形成動作中に検知し、このデータをメモリに保持することにより、感光ドラム残寿命の逐次参照を可能とする機能。
（３）画像形成装置本体の診断データをプロセスカートリッジのメモリに保持し、異常発生時、或はメンテナンス時にサービス提供者がこの内容を参照することにより迅速なサービス対応を可能とする画像形成装置の自己診断機能。
を付加する試みがなされている。
【０００８】
上述の機能を画像形成装置に付加する場合、プロセスカートリッジ等の着脱可能なユニットに例えばＥＥＰＲＯＭ等の電子デバイスを搭載する必要がある。これら電子デバイスを搭載した従来のプロセスカートリッジでは、メモリ等の電子デバイス及びコネクタをプリント基板上に設け、このプリント基板をプロセスカートリッジに装着していた。
【０００９】
又、このように装置本体に着脱可能なプロセスカートリッジに対し電気部品を実装する場合には、プリント基板上に、例えば不揮発性メモリのようなＩＣ、更に、ＩＣを外部からのサージパルスから保護するためのダイオード、抵抗、コンデンサ、コネクタ等の電子部品及び機能部品がプリント基板上に実装されるのが一般的である。
【００１０】
コネクタとして、基板実装タイプではなく、ケーブルにて引き出す構成としたものである。
【００１１】
【発明が解決しようとする課題】
本発明は、詳しくは後述される従来の技術を更に発展させたものである。
【００１２】
本発明の目的は、電子デバイス、例えばＥＥＰＲＯＭなどのようなＩＣを備えた安価で且つ小型であり、又、装置本体に着脱可能なプロセスカートリッジなどが装置本体に装着されたか否かの有無し判別を追加部品なしで実現できるカートリッジコネクタ、並びに、このようなコネクタを有したプロセスカートリッジ及び電子写真画像形成装置を提供することである。
【００１３】
本発明の他の目的は、より耐ノイズ性に優れた上記コネクタ、並びに、このようなコネクタを有したプロセスカートリッジ及び電子写真画像形成装置を提供することである。
【００１４】
本発明の更に他の目的は、装置本体に着脱可能なプロセスカートリッジ或はその他のユニットが外される際には、電子デバイスへの電源の供給をＯＦＦして、且つ、電子デアイスのアクセスをしないことで、電子デバイスに保存されている内容を保護し、より信頼性を高めることのできるカートリッジコネクタ、並びに、このようなコネクタを有したプロセスカートリッジ及び電子写真画像形成装置を提供することである。
【００１５】
【課題を解決するための手段】
上記諸目的は本発明に係るカートリッジコネクタ、プロセスカートリッジ及び電子写真画像形成装置にて達成される。本発明の一態様によれば、電子写真画像形成装置本体に着脱可能なカートリッジに用いられる、前記装置本体に設けられた本体コネクタと嵌合可能なカートリッジコネクタにおいて、
（i）複数のリード端子を有する、前記カートリッジに関する情報を記憶するメモリ部材と、
（ii）前記メモリ部材を装着したソケットであって、一端側に前記複数のリード端子うちの一つと電気的に接続したメモリ部材接続部と、他端側に前記カートリッジを前記装置本体に装着した際に前記本体コネクタと電気的に接続する本体コネクタ接続部と、を有する接触端子を前記ソケットの内部に複数設けたソケットと、
を有し、
前記複数の接触端子のうち一つは、前記メモリ部材接続部が途中で別れて二つの前記本体コネクタ接続部と接続して、前記二つの前記本体コネクタ接続部を短絡する、前記ソケットの内部に設けられた短絡接触端子であって、前記カートリッジを前記装置本体に装着した際に、前記装置本体から前記メモリ部材に供給する電源信号を短絡する短絡接触端子であることを特徴とするカートリッジコネクタが提供される。
【００１６】
本発明の他の態様によれば、電子写真画像形成装置本体に着脱可能なカートリッジに用いられる、前記装置本体に設けられた本体コネクタと嵌合可能なカートリッジコネクタにおいて、
（i）複数のリード端子を有する、前記カートリッジに関する情報を記憶するメモリ部材と、
（ii）前記メモリ部材を装着したソケットであって、一端側に前記複数のリード端子うちの一つと電気的に接続したメモリ部材接続部と、他端側に前記カートリッジを前記装置本体に装着した際に前記本体コネクタと電気的に接続する本体コネクタ接続部と、を有する接触端子を前記ソケットの内部に複数設けたソケットと、
を有し、
前記複数の接触端子のうち一つは、前記メモリ部材接続部が途中で別れて二つの前記本体コネクタ接続部と接続して、前記二つの前記本体コネクタ接続部を短絡する、前記ソケットの内部に設けられた短絡接触端子であって、前記カートリッジを前記装置本体に装着した際に、前記メモリ部材を接地するためのＧＮＤ信号を短絡する短絡接触端子であることを特徴とするカートリッジコネクタが提供される。
【００１７】
本発明の他の態様によれば、電子写真画像形成装置本体に着脱可能なプロセスカートリッジであって、
（i）電子写真感光体と、
（ii）前記電子写真感光体に作用するプロセス手段と、
（iii）前記プロセスカートリッジを前記装置本体に装着した際に、前記装置本体に設けられた本体コネクタと嵌合するカートリッジコネクタであって、複数のリード端子を有する、前記プロセスカートリッジに関する情報を記憶するメモリ部材と、前記メモリ部材を装着したソケットであって、一端側に前記複数のプロセスカートリッジを前記装置本体に装着した際に前記本体コネクタと電気的に接続する本体コネクタ接続部と、を有する接触端子を前記ソケットの内部に複数設けたソケットと、を有し、前記複数の接触端子のうち一つは、前記メモリ部材接続部が途中で別れて二つの前記本体コネクタ接続部と接続して、前記二つの前記本体コネクタ接続部を短絡する、前記ソケットの内部に設けられた短絡接触端子であって、前記カートリッジを前記装置本体に装着した際に、前記装置本体から前記メモリ部材に供給する電源信号を短絡する短絡接触端子であるカートリッジコネクタと、
を有することを特徴とするプロセスカートリッジが提供される。
【００１８】
本発明の他の態様によれば、電子写真画像形成装置本体に着脱可能なプロセスカートリッジであって、
（i）電子写真感光体と、
（ii）前記電子写真感光体に作用するプロセス手段と、
（iii）前記プロセスカートリッジを前記装置本体に装着した際に、前記装置本体に設けられた本体コネクタと嵌合するカートリッジコネクタであって、複数のリード端子を有する、前記プロセスカートリッジに関する情報を記憶するメモリ部材と、前記メモリ部材を装着したソケットであって、一端側に前記複数のプロセスカートリッジを前記装置本体に装着した際に前記本体コネクタと電気的に接続する本体コネクタ接続部と、を有する接触端子を前記ソケットの内部に複数設けたソケットと、を有し、前記複数の接触端子のうち一つは、前記メモリ部材接続部が途中で別れて二つの前記本体コネクタ接続部と接続して、前記二つの前記本体コネクタ接続部を短絡する、前記ソケットの内部に設けられた短絡接触端子であって、前記カートリッジを前記装置本体に装着した際に、前記メモリ部材を接地するためのＧＮＤ信号を短絡する短絡接触端子であるカートリッジコネクタと、
を有することを特徴とするプロセスカートリッジが提供される。
【００１９】
本発明の他の態様によれば、プロセスカートリッジを着脱可能であって、記録媒体に画像を形成するための電子写真画像形成装置において、
（i）本体コネクタと、
（ii）電子写真感光体と、前記電子写真感光体に作用するプロセス手段と、前記プロセスカートリッジを前記電子写真画像形成装置の装置本体に装着した際に、前記本体コネクタと嵌合するカートリッジコネクタであって、複数のリード端子を有する、前記プロセスカートリッジに関する情報を記憶するメモリ部材と、前記メモリ部材を装着したソケットであって、一端側に前記複数のプロセスカートリッジを前記装置本体に装着した際に前記本体コネクタと電気的に接続する本体コネクタ接続部と、を有する接触端子を前記ソケットの内部に複数設けたソケットと、を有し、前記複数の接触端子のうち一つは、前記メモリ部材接続部が途中で別れて二つの前記本体コネクタ接続部と接続して、前記二つの前記本体コネクタ接続部を短絡する、前記ソケットの内部に設けられた短絡接触端子であって、前記カートリッジを前記装置本体に装着した際に、前記装置本体から前記メモリ部材に供給する電源信号を短絡する短絡接触端子であるカートリッジコネクタと、を有するプロセスカートリッジを取り外し可能に装着する装着手段と、
（iii）前記記録媒体を搬送する搬送手段と、
を有することを特徴とする電子写真画像形成装置が提供される。
【００２０】
本発明の他の態様によれば、プロセスカートリッジを着脱可能であって、記録媒体に画像を形成するための電子写真画像形成装置において、
（i）本体コネクタと、
（ii）電子写真感光体と、前記電子写真感光体に作用するプロセス手段と、前記プロセスカートリッジを前記電子写真画像形成装置の装置本体に装着した際に、前記本体コネクタと嵌合するカートリッジコネクタであって、複数のリード端子を有する、前記プロセスカートリッジに関する情報を記憶するメモリ部材と、前記メモリ部材を装着したソケットであって、一端側に前記複数のプロセスカートリッジを前記装置本体に装着した際に前記本体コネクタと電気的に接続する本体コネクタ接続部と、を有する接触端子を前記ソケットの内部に複数設けたソケットと、を有し、前記複数の接触端子のうち一つは、前記メモリ部材接続部が途中で別れて二つの前記本体コネクタ接続部と接続して、前記二つの前記本体コネクタ接続部を短絡する、前記ソケットの内部に設けられた短絡接触端子であって、前記カートリッジを前記装置本体に装着した際に、前記メモリ部材を接地するためのＧＮＤ信号を短絡する短絡接触端子であるカートリッジコネクタと、を有するプロセスカートリッジを取り外し可能に装着する装着手段と、
（iii）前記記録媒体を搬送する搬送手段と、
を有することを特徴とする電子写真画像形成装置が提供される。
【００２１】
【発明の実施の形態】
以下添付図面を参照して、本発明のカートリッジコネクタ、並びに、このようなコネクタを有したプロセスカートリッジ及び電子写真画像形成装置の好適な実施例を詳細に説明する。
【００２２】
実施例１
図１は、本発明の画像形成装置の代表的な実施例である６００ドット／インチ（ｄｐｉ）の解像度を有し、各色成分各画素が８ビットで表現された多値データに基づいて画像記録を行うカラーレーザビームプリンタ（以下、単に「プリンタ」という。）１の概略構成を示す側面断面図である。以下に説明するいくつかの実施例では、図１に示す装置を共通実施例として用いる。
【００２３】
図１に示す画像形成装置において、給紙部１０１から搬送手段１０２などにより給紙された転写紙Ｐはその先端をグリッパ１０３ｆにより挟持されて、転写ドラム１０３の外周に保持される。このとき、転写紙Ｐの先端を検出器８が検出して、その検出信号によって垂直同期信号（後述）が生成される。光学ユニット１０７より、像担持体（以下、「感光ドラム」という。）１００に形成された各色の潜像は、各色現像器Ｄｙ、Ｄｃ、Ｄｂ、Ｄｍにより現像化されて、転写ドラム外周の用紙に複数回転写されて、多色画像が形成される。その後、転写紙Ｐは転写ドラム１０３より分離されて定着ユニット１０４で定着され、搬送手段としての排紙部１０５より排紙トレー部１０６に排出される。
【００２４】
ここで、各色の現像器Ｄｙ、Ｄｃ、Ｄｂ、Ｄｍは、その両端に回転支軸を有し、各々がその軸を中心に回転可能に現像器選択機構部１０８に保持される。これによって、各現像器Ｄｙ、Ｄｃ、Ｄｂ、Ｄｍは、図１に示すように、現像器選択のために現像器選択機構部１０８が回転軸１１０を中心にして回転しても、その姿勢を一定に維持できる。選択された現像器が現像位置に移動後、現像器選択機構部１０８は、現像器と一体で支点１０９ｂを中心にして、選択機構保持フレーム１０９がソレノイド１０９ａにより感光ドラム１００方向へ引っ張られ、感光ドラム１００方向へと移動する。
【００２５】
次に、上記構成のカラーレーザビームプリンタのカラー画像形成動作について具体的に説明する。
【００２６】
先ず、帯電器１１１によって感光ドラム１００が所定の極性に均一に帯電され、レーザビーム光Ｌによる露光によって感光ドラム１００上に、例えば、Ｍ（マゼンタ）色の潜像がＭ（マゼンタ）色の現像器Ｄｍにより現像され、感光体ドラム１００上にＭ（マゼンタ）色の第１のトナー像が形成される。一方、所定のタイミングで転写紙Ｐが給紙され、トナーと反対極性（例えばプラス極性）の転写バイアス電圧（＋１．８ｋＶ）が転写ドラム１０３に印加され、感光体ドラム１００上の第１トナー像が転写紙Ｐに転写されると共に、転写紙Ｐが転写ドラム１０３の表面に静電吸着される。その後、感光ドラム１００はクリーナ１１２によって残留するＭ（マゼンタ）色トナーが除去され、廃トナー容器１８０に送られ、次の色の潜像形成及び現像工程に備える。本実施例にて、廃トナー容器１８０と感光ドラム１００と帯電器１１１とは同一ユニットに配備され、プロセスカートリッジ（感光ドラムカートリッジ）１９９を構成している。このプロセスカートリッジ１９９は装着手段８０を介して装置本体に着脱自在に取付けられている。
【００２７】
次に、感光体ドラム１００上にレーザビーム光ＬによりＣ（シアン）色の第２の潜像が形成され、次いでＣ（シアン）色の現像器Ｄｃにより感光体ドラム１上の第２の潜像が現像されてＣ（シアン）色の第２のトナー像が形成される。そして、Ｃ（シアン）色の第２のトナー像は、先に転写紙Ｐに転写されたＭ（マゼンタ）色の第１のトナー像の位置に合わせて転写紙Ｐに転写される。この２色目のトナー像の転写においては、転写紙Ｐが転写部に達する直前に、転写ドラム１０３に＋２．１ｋＶバイアス電圧が印加される。
【００２８】
同様にして、Ｙ（イエロ）色、Ｂｋ（ブラック）色の第３、第４の潜像が感光体ドラム１００上に順次形成され、それぞれが現像器Ｄｙ、Ｄｂによって順次現像され、転写紙Ｐに先に転写されたトナー像と位置合わせされてＹ（イエロ）色、Ｂｋ（ブラック）色の第３、第４の各トナー像が順次転写される。このようにして転写紙Ｐ上に４色のトナー像が重なった状態で形成されることになる。これら３色目、４色目のトナー像の転写においては、転写紙が転写部に達する直前に転写ドラム１０３にそれぞれ＋２．５ｋＶ、＋３．０ｋＶのバイアス電圧が印加される。
【００２９】
このように各色のトナー像の転写を行うごとに転写バイアス電圧を高くしていくのは、転写効率の低下を防止するためのものである。この転写効率の低下の主な原因は、転写紙が転写後に感光ドラム１００から離れる時に、気中放電により転写紙の表面が転写バイアス電圧と逆極性に帯電し（転写紙を担持している転写ドラム表面も若干帯電する）、この帯電電荷が転写ごとに蓄積されて転写バイアス電圧が一定であると転写ごとに転写電界が低下していくことにある。
【００３０】
上記４色目の転写の際に、転写紙先端が転写開始位置に達したときに（直前直後を含む）、実効交流電圧５．５ｋＶ（周波数は５００ＨZ ）に、第４のトナー像の転写時に印加された転写バイアスと同極性でかつ同電位の直流バイアス電圧＋３．０ｋＶを重畳させて帯電器１１１に印加する。このように４色目の転写の際に、転写紙先端が転写開始位置に達したときに帯電器１１１を動作させるのは転写ムラを防止するためのものである。特に、フルカラー画像の転写においては僅かな転写ムラが発生しても色の違いとして目立ちやすいので、上述したように帯電器１１１に所要のバイアス電圧を印加して放電動作を行わせることが必要となる。
【００３１】
この後、４色のトナー像が重畳転写された転写紙Ｐの先端部が分離位置に近づくと、分離爪１１３が接近してその先端が転写ドラム１０３の表面に接触し、転写紙Ｐを転写ドラム１０３から分離させる。分離爪１１３の先端は転写ドラム表面との接触状態を保ち、その後転写ドラム１０３から離れて元の位置に戻る。帯電器１１１は、上記のように転写紙の先端が最終色（第４色目）の転写開始位置に達したときから転写紙後端が転写ドラム１１１を離れるまで作動して転写紙上の蓄積電荷（トナーと反対極性）を除電し、分離爪１１３による転写紙の分離を容易にすると共に、分離時の気中放電を減少させる。なお、転写紙の後端が転写終了位置（感光ドラム１００と転写ドラム１０３とが形成するニップ部の出口）に達したときに、転写ドラム１０３に印加する転写バイアス電圧をオフ（接地電位）にする。これと同時に、帯電器１１１に印加していたバイアス電圧をオフにする。次に、分離された転写紙Ｐは定着器１０４に搬送され、ここで転写紙上のトナー像が定着されて排紙トレイ１０６上に排出される。
【００３２】
次に、レーザビーム走査による画像形成の動作を説明する。
【００３３】
図１において、１０７は光学ユニットであり、検出器９、半導体レーザ１２０、ポリゴンミラー１２１、スキャナモータ１２２、レンズ１２３、ミラー１２５により構成されている。記録紙Ｐが給紙され、その先端が転写ドラム１０３に搬送されてきたら、それに同期して１ページ分の画像信号ＶＤＯが半導体レーザ１２０へと出力され、画像信号ＶＤＯにより変調された光ビームＬが、スキャナモータ１２２により回転されるポリゴンミラー１２１に向けて射出され、その射出された光ビームＬはレンズ１２３、ミラー１２５により感光ドラム１００に導かれる。また光ビームＬが射出されると主走査軸上に配置された検出器９により光ビームＬが検出され、水平同期信号となるＢＤ（ビーム検出）信号が出力される。その結果、光ビームＬによりＢＤ信号に同期して感光ドラム１００が走査露光され、静電潜像が形成される。
【００３４】
本実施例のカラーレーザビームプリンタは、以上のような画像形成過程を経て６００ドット／インチ（ｄｐｉ）の解像度で画像出力を行う。
【００３５】
この装置の入力データとしては、ホストコンピュータ（以下、「ホスト」という。）で生成するカラー画像データ（例えば、ＲＧＢ成分で表現されるデータ）や、他の画像データ生成装置（スチル画像レコーダなど）で生成し何らかの記憶媒体に格納した画像データなどが考えられる。このため、この装置には、図１に示すように、ホストからの画像情報を受信して画像データを生成するプリンタコントローラ２とその画像データを処理する信号処理部４が設けられている。
【００３６】
以下に示すいくつかの実施例ではホストから送られてくるカラー画像データを入力データとして考える。
【００３７】
図２は、本実施例に従うプリンタ１の機能構成を示すブロック図である。図２において、プリンタ１はホストコンピュータ（以下、ホストという）１０００から送られてくる所定の記述言語の画像情報５を受信して展開し、これを各色成分が８ビット（Ｄ０〜Ｄ７）で構成されるＹＭＣＢｋ画像信号６として出力するプリンタコントローラ２とプリンタエンジン３とで構成される。或いは、ホスト１はイメージリーダ等で読み込んだＲＧＢ等のビットデータを画像情報５として送出することもあり、この場合にはプリンタコントローラ２はこれを解釈することなく処理する。
【００３８】
プリンタコントローラ２とプリンタエンジン３との間には、画像信号６以外にも種々の画像信号がシリアル通信の形で授受される。これらの画像信号には、プリンタエンジン３からプリンタコントローラ２に送出するページ（副走査方向）同期信号（ＰＳＹＮＣ）、主走査方向の同期信号（ＬＳＹＮＣ）、データ転送用クロック（ＶＣＬＫ）がある。プリンタコントローラ２は、画像信号６を各色成分の８ビットの信号を、データ転送用クロック（ＶＣＬＫ）に同期して出力する。
【００３９】
図３は、本実施例に従うプリンタエンジン３の機能構成を示すブロック図である。図３において、光学ユニット１０７に含まれる基準発振器１０からの基準クロックは分周器１１により分周され、分周クロックとスキャナモータ１２２からのフィードバック信号との位相差を所定位相差とするようにスキャナモータ１２２がモータ制御回路１２（図示しない公知の位相制御回路を内蔵）により等速回転される。そして、スキャナモータ１２２の回転がポリゴンミラー１２１に伝達され、ポリゴンミラー１２１を等速回転させる。
【００４０】
一方、転写ドラム１０３が駆動モータ（不図示）により等速回転され、転写ドラム１０３上の記録紙Ｐの先端が検出器８により検出され、垂直同期信号（ＶＳＹＮＣ）が信号処理部４に出力される。そして、垂直同期信号（ＶＳＹＮＣ）により、各色の画像先端が規定される。垂直同期信号（ＶＳＹＮＣ）が出力された後、検出器９によって生成されるＢＤ信号を水平同期信号（ＨＳＹＮＣ）として、ＢＤ信号に同期して、画像信号（ＶＤＯ）が順次、半導体レーザ１２０に送出される。
【００４１】
又、信号処理部４が内蔵するＣＰＵ１４はプリンタコントローラ２と通信ライン１５を介してシリアル通信を行なって、制御信号を交換し、プリンタコントローラ２とプリンタエンジン３の動作を同期させる。またＣＰＵ１４は、現像器メモリ２０３〜２０７と感光ドラムメモリ２０７と、バックアップメモリ２３０をシリアル通信ライン２０２を介して通信を行っている。前記現像器メモリは、各色の現像器に取り付けてあるＥＥＰＲＯＭであり、感光ドラムメモリはプロセスカートリッジ、即ち、感光ドラムカートリッジに取り付けてあるＥＥＰＲＯＭである。
【００４２】
画像形成プロセスにおける上述の垂直同期信号（ＶＳＹＮＣ）、水平同期信号（ＨＳＹＮＣ）、及び画像信号（ＶＤＯ）のタイミングは図４に示すようになる。
【００４３】
図５は、信号処理部４とブラック現像器メモリ２０６と、感光ドラムメモリ２０７の信号のやりとりに着目した図である。
【００４４】
同図で、感光ドラムカートリッジ側（ＣＲＧ側）のコネクタ（第１のコネクタ）１９６は、一方がコネクタ嵌合面とされ、他方がＩＣソケット形状となっており、感光ドラムメモリ、即ち、ＥＥＰＲＯＭ２０７が前記ソケットに挿入された状態で感光ドラムカートリッジ１９９に取り付けられる。そして、プリンタ本体に取り付けられた本体側コネクタ（第２のコネクタ）１９５と嵌合して、信号処理部４のＣＰＵ１４に信号が送られる。
【００４５】
ＥＥＰＲＯＭ２０７に供給されるＶｃｃは、ＣＰＵ１４によりＯＮ／ＯＦＦできる構成となっていてＣＰＵポートのＶＣＣＯＮが「ＬＯＷ」で電源ＯＮ、「Ｈｉｇｈ」で電源ＯＦＦとなる。ＣＰＵ１４はＥＥＰＲＯＭのリード動作或はライト動作のときに電源の供給をＯＮして、リード時には、クロック信号１８２に同期してデータ信号１８４を読み込み、ライト時には、クロック信号１８２に同期してデータ信号１８３をＥＥＰＲＯＭに送出してメモリに書き込む。信号１８６は感光ドラム有無検出信号であり、ＣＰＵ１４が監視して、「ＬＯＷ」で感光ドラムカートリッジ無し、「Ｈｉｇｈ」で感光ドラムカートリッジ有りの判断をする。この有無検出信号は、感光ドラムカートリッジが本体に挿入されコネクタ同士が嵌合されると、ＥＥＰＲＯＭのＶｃｃがリターンされ、「Ｈｉｇｈ」となる。
【００４６】
又、ＣＲＧ側コネクタ１９８は、ブラック現像器メモリＥＥＰＲＯＭ２０６が挿入された状態でブラック色の現像カートリッジに取り付けられる。信号のやり取りについては、前述の感光ドラムカートリッジの場合と同様である。
【００４７】
ＥＥＰＲＯＭ２０７と２０６はいづれもＤｉｐ形状のＩＣであり、ＣＲＧ側コネクタ１９６と１９８に直に接続される。図６は、Ｄｉｐ形状のＥＥＰＲＯＭ−ＩＣのピン配置の一例である。
【００４８】
図７は、感光ドラムカートリッジ１９９と、前述のＥＥＰＲＯＭ２０７と、カートリッジ側コネクタ１９６との取り付け態様を示す。感光ドラムカートリッジ１９９は、主に感光ドラム１００と、廃トナー容器１８０と、ＥＥＰＲＯＭ２０７と、カートリッジ側コネクタ１９６と、前記コネクタ１９６とカートリッジとを接続するネジ３６０とにて構成される。
【００４９】
図８は、カートリッジ側コネクタ１９６（又は１９８）と本体側コネクタ１９５（又は１９７）とＥＥＰＲＯＭ２０７（又は２０６）の形状を示した図である。図のようにカートリッジ側コネクタ１９６は感光ドラムカートリッジ１９９のコネクタ取り付け部３５４にねじ３６０によって固定される。本体側コネクタ１９５は、本体の取り付け部３５８にねじ３５６によって固定される。
【００５０】
図９は、図８に示すカートリッジ側コネクタ１９６（又は１９８）と本体側コネクタ１９５（又は１９７）の断面図である。
【００５１】
本発明のカートリッジ側コネクタ１９６は、その内部にコネクタのコンタクト（接触端子）３５２を有しＩＣ２０７と接触を取る構成となっている。このカートリッジ側コネクタ１９６は、カートリッジに対し固定される。一方、これに相対する画像形成装置本体側コネクタ１９５は、画像形成装置本体の一部であるコネクタ取付部３５８に対して、小ねじ３５６で固定される。ただし、カートリッジ側に実装されたコネクタ１９６は、カートリッジに対して、確実に固定されているために、カートリッジと画像形成装置本体との嵌合時のずれがコネクタ１９６、１９５間にかからないようにする必要がある。画像形成装置本体側コネクタ１９５を可動（フローティング）なように画像形成装置本体のコネクタ取付部３５８に対して固定する必要がある。図９に記載した断面図は、それを考慮したものであり小ねじ３５６は、画像形成装置本体のコネクタ取付部３５８に対して固定されるものの、小ねじ３５６と画像形成装置本体側コネクタ１９５に設けられた小ねじ用穴３５７ａには、先に説明したずれを吸収すべく余裕を有するように小ねじ３５６との間に隙間を生ずる大きさとしてある。従って、画像形成装置本体側コネクタ１９５は画像形成装置本体のコネクタ取付部３５８に対して移動可能な状態になるように小ねじ３５６を雌ねじ３５８ａにねじ込んで取り付けられている。
【００５２】
カートリッジ側コネクタ１９６は合成樹脂製であって、中空の方形断面の根本側外壁３５３ａから先端が中空の嵌合部３５３ｂとなっている。カートリッジ側コネクタ１９６の中空部には対向する壁間を連結するＩＣ取付部３５３ｃが一体形成されている。又は、嵌着により外壁部３５３ａ及び嵌合部３５３ｂに取り付けられている。その断面は図９に示すようにＴ字形をしている。そして、根本側外壁部３５３ａと嵌合部３５３ｂの対向二辺とＩＣ取付部３５３ｃ間に図の上下で外部に通じている端子取付空間３５３ｄを設けている。ＩＣ取付部３５３ｃに沿ってコンタクト３５２が配され、コンタクト３５２の図９における下端はＩＣ取付部３５３ｃから両側へ向って離れている。このコンタクト３５２は、画像形成装置本体側コンタクト３５５との接触を確実にするため、先端に外方へ向って変形させた接点部３５２ａを備えている。ＩＣ２０７はチップ本体３５１ａがＩＣ取付部３５３ｃの直上で隙間を置いて配され、ＩＣ２０７のリード線３５１ｂは端子取付空間３５３ｄに上部から進入し、コンタクト３５２に圧接している。
【００５３】
画像形成装置本体側コネクタ１９５は前述の小ねじ用穴３５７ａを設ける取付部３５７ｂに一体に四角形箱形の嵌合部３５７ｃが設けられ、該画像形成装置本体側コネクタ１９５に固定されたコンタクト３５５に配線３５９が結合されている。該コンタクト３５５は嵌合部３５７ｃの対向内側面に接している。カートリッジを画像形成装置本体に装着する際、カートリッジ側コネクタ１９６の嵌合部３５３ｂ内周は画像形成装置本体側コネクタ１９５の嵌合部３５７ｃ外周に嵌合すると共に、カートリッジ側コンタクト３５２の接点部３５２ａは画像形成装置側コンタクト３５５に圧接して先端が近寄る方向に変形して該コネクタに導通する。
【００５４】
図１０は、カートリッジ側コネクタ１９６の断面図であり、図９の断面図を９０°回転したものである。同図は、ＥＥＰＲＯＭ−ＩＣの５ピンから８ピンを結ぶ面での断面図である。図のように、ＩＣの７ピンにはコンタクト３５２は接続されない。そして、ＩＣの８ピン（電源Ｖｃｃ）に接するコンタクト３５２が途中で二股に分かれて（３６１の部分）嵌合部３５３ｂまでコンタクトが延びている。
【００５５】
又、ＩＣに５ピンのＧＮＤ信号は、コネクタ嵌合時に他のピンに先じて接続され、コネクタを抜くときには最後に離れるように、他のピンよりも長いコンタクトにしてある。これにより、ＥＥＰＲＯＭに静電気が蓄積されている場合でもＧＮＤピンを介して電荷が放出されるので、嵌合時に静電気でＥＥＰＲＯＭの入力出ポートを破壊することが防げる。
【００５６】
本実施例では、プロセスカートリッジである感光ドラムカートリッジ１９９を例にとって説明したが、マゼンタ、シアン、イエロー、ブラックトナーの入っている現像トナーカートリッジについても同様にしてＥＥＰＲＯＭを取り付けてもよい。又、感光ドラムと、現像剤を収容した現像器と、廃トナー容器とが一体となっているプロセスカートリッジに、上述のコネクタとメモリを搭載してもよい。
【００５７】
又、本実施例ではメモリＩＣをＥＥＰＲＯＭであるとして説明したが、他の不揮発性メモリでもよい。
【００５８】
更に、本実施例では、ＥＥＰＲＯＭに供給されるＶｃｃを本体側へリターンさせたが、同じ様にＥＥＰＲＯＭに供給されるＧＮＤ信号やＥＥＰＲＯＭ制御信号を本体側へリターンさせてもよい。図１１にＥＥＰＲＯＭ制御信号であるチップセレクト信号ＣＳをリターンして感光ドラムカートリッジの有無を検出する場合の構成を示す。
【００５９】
実施例２
図１２に本発明の第２の実施例を示す。同図は感光ドラムカートリッジ有無検出を行うための本体側ＣＰＵとＥＥＰＲＯＭの配線について示した図である。
【００６０】
本実施例では、ＥＥＰＲＯＭの制御信号はリターンせずに、独立した２本の信号線をカートリッジ側コネクタ４０９に加えて、例えば、カートリッジ側コネクタ４０９が嵌合していない場合には、抵抗Ｒ６によってプルアップされて「Ｈｉｇｈ」レベルであり、カートリッジ側コネクタ４０９が嵌合されたときには、「ＬＯＷ」レベルが有無検出信号４１０に表れるように構成される。
【００６１】
図１４に、本実施例のカートリッジ側コネクタ４１３の外形図を示す。図のようにＩＣソケットの５ピン（ＧＮＤピン）から金属板４１４を延長して、この金属板と１ピンにはダイオードＤ３を、２ピンにはダイオードＤ２を、３ピンにはダイオードＤ１を、８ピンにはコンデンサＣ１を接続する。金属板４１４とＤ１〜Ｄ３とＣ１の接続には、例えば半田付けを行う。この状態で、同図の上方向からＩＣソケットめがけて、ＥＥＰＲＯＭを挿入する。
【００６２】
本実施例により、低コストのまま、より信頼性を高めることが可能となる。
【００６３】
実施例３
図１３に本発明の第３の実施例を示す。本図は、プリンタ本体の信号処理部４とカートリッジ上のＥＥＰＲＯＭの配線について示した図である。本実施例では、感光ドラムカートリッジのＥＥＰＲＯＭについてのみ説明されるが、他の各色の現像カートリッジも同様に考えてよい。
【００６４】
信号処理部４と本体側コネクタ１９５とＥＥＰＲＯＭ２０７と信号１８１〜１８７については実施例１と同様である。本実施例ではカートリッジ側コネクタ４１３に図示するようにコンデンサＣ１とダイオードＤ１〜Ｄ３が実装してある。コンデンサＣ１は、ＥＥＰＲＯＭのプログラム時にＥＥＰＲＯＭから発生するＶｃｃへのノイズを平滑する機能と、Ｖｃｃラインへ外部から印加される静電気を吸収し、ＥＥＰＲＯＭに影響を及ぼさない様にする機能がある。ダイオードＤ１〜Ｄ３は、ＣＳライン、ＳＫライン、ＤＩラインへ外部から印加される静電気をＧＮＤラインに逃がしてＥＥＰＲＯＭに影響を及ぼさない様にする機能がある。
【００６５】
実施例４
図１５に本発明の第４の実施例の電気ブロック図を示し、図１６にＣＰＵ１４の制御フローチャートを示す。図１５において、第１実施例と同じ機能を有する部材については同じ番号が付されている。
【００６６】
図１５にて、感光ドラムドアセンサ４１６は、感光ドラムカートリッジを交換若しくは取り外す際のドアの開閉を検出するスイッチである。本センサの出力信号４１８がドア開をしめした場合にはＣＰＵ１４は、感光ドラムカートリッジがユーザによって交換若しくは取り外されると判断して、感光ドラムメモリ２０７の内容を更新する。感光ドラムドアセンサ４１６がドア開を検出してからユーザが感光ドラムカートリッジを取り外すまで、つまり感光ドラムメモリの各Ｉ／Ｏがプリンタ本体から切り外されるまでは、約１秒以上ある。現像器ドア開センサ４１５は、各色の現像器を交換もしくは取り外す際のドアの開閉を検出するスイッチである。本センサの出力信号４１７がドア開を示した場合にはＣＰＵ１４は各色いずれかの現像器がユーザによって交換もしくは取り外されると判断して、現像器メモリ２０３、２０４、２０５、２０６の内容を更新する。現像器ドア開センサ４１５がドア開を検出してから、現像器がユーザによって取り外されるまでは、約１秒以上はある。
【００６７】
図１６に、感光ドラムメモリを例にとったフローチャートを示す。
【００６８】
先ず、プリンタ本体の電源を投入すると（４１９）、感光ドラムカートリッジドアが閉まっていることを確認する（４２０）。感光ドラムカートリッジドアが閉まっている場合には、感光ドラムメモリ２０７にＶｃｃを供給（４２１）して、感光ドラムカートリッジが有ることを確認する（４２２）。この確認方法は、実施例１で説明したように、カートリッジ側コネクタのＶｃｃのリターン信号の論理レベルで判断を行う。カートリッジ無しの場合には表示パネル又はホストコンピュータを介してユーザに報知して、カートリッジ有りの場合には感光ドラムメモリであるＥＥＰＲＯＭから所望の情報をリードする（４２３）。この状態でプリンタはスタンバイ状態となり、印字を行える状態となる。そして、印字を行った後に、感光ドラムカートリッジドアが開いていなければ（４２５）、次にプリンタ本体のメインスイッチの状態を参照して（４２６）メインスイッチがＯＮのままであれば、印字動作まちの状態（４２４）に戻る。
【００６９】
一方、感光ドラムカートリッジドアが開である場合には（４２５）、感光ドラムメモリ２０７の内容を更新して（４２９）、ＶｃｃをＯＦＦ（４２８）する。また、メインスイッチがＯＦＦした場合には（４２６）、感光ドラムメモリ２０７の内容を更新して（４３０）、ＶｃｃをＯＦＦ（４３１）して、プリンタ全体の電源をＯＦＦする（４３２）。
【００７０】
なお、感光ドラムメモリ２０７の更新する情報とは、例えば、感光ドラムの残寿命データや印字枚数等のデータである。
【００７１】
実施例５
実施例１〜４においては、感光ドラム１００に形成されたトナー像を転写ドラム１０３に担持された転写紙Ｐに転写するカラーレーザビームプリンタに本発明を適用した場合について説明したが、実施例５においては、本発明は、図１７に示すように、感光ドラム７１に形成されたトナー像を一旦中間転写ユニットに転写し、その後中間転写ユニットから転写紙Ｐにトナー像を一括転写するカラーレーザビームプリンタに適用される。
【００７２】
つまり、図１７において、感光ドラム７１は、不図示の駆動手段によって図示矢印方向に駆動され、ローラー帯電器７２により所定の電位に均一に帯電される。次いで、イエローの画像模様に従った信号が入力された露光装置７３により、レーザ光が感光ドラム７１に照射され、感光ドラム７１上に潜像が形成される。
【００７３】
更に感光ドラム７１が矢印方向に進むと支持体７５に支持された現像装置７４ａ、７４ｂ、７４ｃ、７４ｄのうち、例えばイエロートナーが収容された現像装置７４ａが感光ドラム７１に対向するように支持体５が回転され、上記の潜像は現像装置７４ａによって可視化される。次いで、現像されたトナー像は中間転写体である中間転写ベルト６６上に転写される。
【００７４】
中間転写ベルト６６は３本の支持ローラー６１、６２、６３上に張設され、不図示の駆動源に連結された支持ローラー６２が回転することにより、図中矢印方向に移動する。又、中間転写ベルト６６の内側の感光ドラム対向部には、一次転写ローラ６４が設けられ、不図示の高圧電源から所定のバイアスが印加され、感光ドラム７１上のトナーは中間転写ベルト６６上に転写される。
【００７５】
以上の工程を更に例えばマゼンタ、シアン、黒の順に現像装置７４ｂ、７４ｃ、７４ｄにより実施することによって中間転写ベルト６６上に４色のトナー像が形成される。
【００７６】
この４色のトナー像は、中間転写ベルト６６の移動と同期をとって給紙装置７６から搬送手段７７を介して搬送された転写紙Ｐ上に、２次転写ローラー６５により一括転写される。更に、転写紙は、加熱・加圧定着装置７８によって溶融固着されカラー画像が得られる。
【００７７】
感光ドラム７１上の転写残トナーはブレード手段を備えたクリーニング装置７９によって清掃される。
【００７８】
又、本実施例においては、帯電ローラー７２、感光ドラム７１、及びクリーニング装置７９が一体のプロセスカートリッジ９０として構成され、装置本体に対して装着ガイド手段８０により脱着自在とされている。更に、上記各実施例と同様に、第１及び第２のコネクタを備えたメモリＩＣを備え、同様に機能する本発明のコネクタ８４を備えている。
【００７９】
尚、４色の各現像器７４ａ〜７４ｄもプロセスカートリッジと同様に、装置本体と脱着可能な構成とされている。これらの構成により、従来サービスマンが行なっていた上記部材の交換、メンテナンスをユーザが簡単に行なうことができる。
【００８０】
上記のような構成のフルカラー画像形成装置に、実施例１、２、３及び４にて説明した本発明を適用することにより、上記と同様の作用効果を得ることができる。
【００８１】
【発明の効果】
以上説明したように、本発明では、カートリッジコネクタが有するソケットがメモリ部材を直接保持し、さらに前記ソケットの内部に、カートリッジを装置本体に装着した際に、装置本体からメモリ部材に供給する電源信号を短絡するか、或いは、メモリ部材を接地するためのＧＮＤ信号を短絡する短絡接触端子を設けたことによって、カートリッジ、または、プロセスカートリッジ、及び、電子写真画像形成装置を小型化することができるとともに、カートリッジ、または、プロセスカートリッジの装着の有無を判別するための部品を格別設けることなく、カートリッジ、または、プロセスカートリッジの装着の有無を判別することができる。
【図面の簡単な説明】
【図１】本発明の画像形成装置の一実施例のカラーレーザビームプリンタの概略構成側面断面図である。
【図２】図１のカラーレーザビームプリンタの機能構成を説明するブロック図である。
【図３】図１のカラーレーザビームプリンタのプリンタエンジンの機能構成を説明するブロック図である。
【図４】画像形成プロセスにおける垂直同期信号（ＶＳＹＮＣ）、水平同期信号（ＨＳＹＮＣ）及び画像信号（ＶＤＯ）のタイミングを示す図である。
【図５】コネクタを介して行なう信号処理部と、ブラック現像器メモリ及び感光ドラムメモリとの間の信号の送受信の一実施例を説明する図である。
【図６】Ｄｉｐ形状のＥＥＰＲＯＭ−ＩＣのピン配置を示す図である。
【図７】プロセスカートリッジ（感光ドラムカートリッジ）の斜視図である。
【図８】カートリッジ側コネクタと本体側コネクタとを備えた本発明のコネクタの一実施例の分解斜視図である。
【図９】図８のコネクタの断面図である。
【図１０】カートリッジ側コネクタの拡大断面図である。
【図１１】コネクタを介して行なう信号処理部と感光ドラムメモリとの間の信号の送受信の他の実施例を説明する図である。
【図１２】コネクタを介して行なう信号処理部と感光ドラムメモリとの間の信号の送受信の他の実施例を説明する図である。
【図１３】コネクタを介して行なう信号処理部と感光ドラムメモリとの間の信号の送受信の他の実施例を説明する図である。
【図１４】カートリッジ側コネクタの一実施例の外形図である。
【図１５】カラーレーザビームプリンタのプリンタエンジンの他の実施例の機能構成を説明するブロック図である。
【図１６】ＣＰＵの制御態様の一実施例を示すフローチャートである。
【図１７】本発明の画像形成装置の他の実施例のカラーレーザビームプリンタの概略構成側面断面図である。
【符号の説明】
１                画像形成装置
４                信号処理部
１４              ＣＰＵ
７７、１０２      搬送手段
８０              装着手段
７１、１００      感光ドラム
１１１            帯電器
１１２            クリーニングブレード
１８０            廃トナー容器
１９５、１９７、４０３、４０８            本体側コネクタ
１９６、１９８、４０４、４０９、４１３    カートリッジ側コネクタ
１９９            プロセスカートリッジ（感光ドラムカートリッジ）
２０３〜２０６    ＥＥＰＲＯＭ（現像器メモリ）
２０６、２０７    ＥＥＰＲＯＭ（感光ドラムメモリ）
【図１】
0003715723.tif 000002
【図２】
0003715723.tif 000003
【図３】
0003715723.tif 000004
【図４】
0003715723.tif 000005
【図５】
0003715723.tif 000006
【図６】
0003715723.tif 000007
【図７】
0003715723.tif 000008
【図８】
0003715723.tif 000009
【図９】
0003715723.tif 000010
【図１０】
0003715723.tif 000011
【図１１】
0003715723.tif 000012
【図１２】
0003715723.tif 000013
【図１３】
0003715723.tif 000014
【図１４】
0003715723.tif 000015
【図１５】
0003715723.tif 000016
【図１６】
0003715723.tif 000017
【図１７】
0003715723.tif 000018